(57)【要約】高所から対象物を安全に下ろしまたは降下するための小さくて容易に携帯可能な装置（１０）であって、それが取り付けフレーム（１４）に回転可能に取り付けられたドラム（１２）；取り付けフレームを下ろされる対象物に固定するための固定装置（４２）；及び高所の固定物に取り付けるための一端を持つドラム周りに巻かれたライン（２０）；を含み、かくして使用者が固定物にラインを取り付けることができかつ高所から対象物を安全に下ろしまたは降下することができる。
2005518846.tif 000002
【特許請求の範囲】
【請求項１】
高所から対象物を安全に下ろすために使用者により使用される装置であって、前記装置が：
（ａ）取り付けフレーム上に回転可能に取り付けられたドラム；
（ｂ）前記取り付けフレームを対象物に固定するための固定装置；及び
（ｃ）ドラム周りに巻かれたライン、前記ラインはドラムに取り付けられた第一端と高所の固定物に取り付けるための第二端とを持つ；
を含み、
かくして使用者は取り付けフレームを対象物にかつラインの第二端を高所の固定物に取り付けることにより高所から対象物を安全に下ろす装置を便利に使用することができることを特徴とする装置。
【請求項２】
前記対象物が使用者の身体であることを特徴とする請求項１に記載の装置。
【請求項３】
前記取り付けフレームがドラムを含むためのハウジングを含むことを特徴とする請求項１に記載の装置。
【請求項４】
ラインの前記第二端がラインを高所の固定物に取り付けるための取り付け装置を含むことを特徴とする請求項１に記載の装置。
【請求項５】
前記取り付け装置が開閉可能なクラスプであることを特徴とする請求項４に記載の装置。
【請求項６】
前記固定装置が使用者の身体を保持するための身体取り付け部材を含むことを特徴とする請求項２に記載の装置。
【請求項７】
前記身体取り付け部材が使用者の身体に適用するためのハーネスであることを特徴とする請求項６に記載の装置。
【請求項８】
前記身体取り付け部材が使用者により着用されるジャケットであることを特徴とする請求項６に記載の装置。
【請求項９】
前記固定装置が使用者の身体を受けるための身体受け部材を含むことを特徴とする請求項１に記載の装置。
【請求項１０】
対象物の降下速度を制御するための降下制御装置を更に含むことを特徴とする請求項１に記載の装置。
【請求項１１】
前記降下制御装置が降下の速度を変えるために調整可能であることを特徴とする請求項１０に記載の装置。
【請求項１２】
前記降下制御装置が降下を停止するために調整可能であることを特徴とする請求項１０に記載の装置。
【請求項１３】
前記降下制御装置を調整するためのリモートコントロール装置を更に含むことを特徴とする請求項１０に記載の装置。
【請求項１４】
前記降下制御装置がドラムの回転を減速するためのドラムと組み合わされて配置されたオイルダンパーを含むことを特徴とする請求項１０に記載の装置。
【請求項１５】
前記オイルダンパーがその中の油の動きを制御するための調整弁を含み、それによりドラムの回転を制御することを特徴とする請求項１３に記載の装置。
【請求項１６】
電源を更に含むことを特徴とする請求項１に記載の装置。
【請求項１７】
前記電源がドラムの回転により駆動される発電器であることを特徴とする請求項１６に記載の装置。
【請求項１８】
前記電源が電池であることを特徴とする請求項１６に記載の装置。
【請求項１９】
前記電源が前記降下制御装置に電力を供給するためのものであることを特徴とする請求項１６に記載の装置。
【請求項２０】
前記電源が降下表示器に電力を供給するためのものであることを特徴とする請求項１６に記載の装置。
【請求項２１】
前記降下表示器が光であることを特徴とする請求項２０に記載の装置。
【請求項２２】
前記降下表示器が可聴信号であることを特徴とする請求項２０に記載の装置。
【発明の詳細な説明】
【技術分野】
【０００１】
本発明は避難装置の分野に関し、特に緊急避難が必要な場合に一人の人間を高所から安全に下ろすように設計された個人降下装置に関する。
【背景技術】
【０００２】
火災は高いビルディングの固有の危険であることは知られており、かかるビルディングの主たる設計要求の一つは居住者を迅速に避難させる能力である。しかし、ある居住者、特に上層階の居住者に対しては低層階の階段及び出口の損傷の結果として避難が不可能なことがしばしば起こる。もし救出されないと、これらの居住者は煙の吸い込み、火傷または窓からの死へのジャンプの結果として死に至ることが多い。
【０００３】
高いビルディングからの安全な脱出手段を提案することはかなりの発明的エネルギーを要する課題であったし、従来技術の長い歴史は１８６０年の昔に発行された米国特許を含めてその後も続いて存在する。しかし、容易に携帯可能でかつ自動的に操作可能な降下装置が存在することは知られていない。
【０００４】
開示された装置の殆どは多くは軒じゃばら内に（例えば米国特許２７１２７号）または窓しきいの下に（例えば米国特許２８５５６４号）隠されることによるような巧妙なまたは装飾的な方法でビルディングに永久的に取り付けられたものである。かかる装置の他の多くはビルディングに永久的に固定されていないが、必要なときの使用のためにビルディング内に永久的に配備されている。かかる装置は装置の特別の目的のためにビルディングに永久的に固定されているフック、ブラケットまたは固定具に取り付けて使用される。
【０００５】
全てのかかる装置は人間を窓または屋根から下ろすための機械的手段からなる。それらは一般的にレバー、棒、ギヤー、プーリー、ウインチまたはウインドラス、スプリング、等を含み、それらが装置を重くし、極めて嵩高とすることが多い。従って、これらの装置は携帯可能でなく、それらの使用はそれらが配備されている場所に限定される。
【０００６】
多数の米国特許がビルディングの居住者により使用するためにビルディングにまたはビルディング内に配備されたかかる降下装置を開示し、それらは：米国特許１９９４６１号、米国特許４３７０９１号、米国特許６９６９３１号、米国特許６５０４０３号、米国特許９９１７６８号、米国特許２５２６０６５号、米国特許４２８７９６３号、米国特許４４１６７３５号、米国特許４４５２３３９号、米国特許４５０３９３３号、米国特許５３４３９８１号、米国特許５４９４１３３号、及び米国特許５５８６６１７号を含む。
【０００７】
殆ど全てのかかる装置により経験される別の限界は確実な操作または制御の要求である。使用者に対し、安全に降下するために一つのまたは別の様式で装置を手動で操作する必要がある。焼けて死ぬか、または高い窓からジャンプするかの決定的場面に対面したとき、平均的人間の集中力及び手の器用さは実質的に衰え、機械装置の効果的な操作を可能とするには十分ではないことが観察されている。多くの従来技術装置はかかる要求を伴なう。
【０００８】
小さな携帯降下装置が米国特許５６９０１８７号に開示されており、それは自身を高所から下ろすために解放されかつ使用されることのできる平坦なロープから組み立てられた旅行バッグである。この装置は容易に携帯可能であるという第一の要求に合致するが、それは自動操作を提供しない。ロープは使用者が制御された解放機構を操作することにより手動で解放されなければならず、この機構がロープを制御された方式で繰り出すことを可能とするが高い緊張状態の人の行為では達成できないかもしれない。この装置はロープが火炎または熱により燃えまたはその引張強さを弱化するかもしれないという追加のかつ実質的な欠点を被り、従って火災状態の場合の適合性に問題のあるものである。
【発明の開示】
【０００９】
従って、本発明の目的は人が緊急状態下の高所から対象物を安全に下ろすことを可能とする装置を提供することである。
【００１０】
本発明の更なる目的は人が緊急状態下の高所から安全に降下することを可能とする装置を提供することである。
【００１１】
本発明の更なる目的は使用者が高所に入るとき人（男性／女性）により容易に運ぶことができる小さくて個人的に携帯可能な降下装置を提供することである。
【００１２】
本発明の更なる目的は自動的に作動し、操作または制御の必要なしに使用者がそれに重量を付与することにより簡単に降下可能とする降下装置を提供することである。
【００１３】
本発明の更なる目的はメンテナンスを必要としない、信頼性があり丈夫な降下装置を提供することである。
【００１４】
本発明の更なる目的は製造及び取得が簡単で安価である個人降下装置を提供することである。
【００１５】
本発明によれば高所から対象物を安全に下ろすまたは降下するために使用者により使用される装置が提供され、それは：（ａ）取り付けフレーム上に回転可能に取り付けられたドラム；（ｂ）取り付けフレームを対象物または使用者の身体に固定するための固定装置；及び（ｃ）ドラムに取り付けられた第一端と高所の固定物に取り付けるための第二端とを持つドラムの周りに巻かれたライン；を含み、かくして使用者は取り付けフレームを対象物または使用者の身体にかつラインの第二端を高所の固定物に取り付けることにより高所から対象物を安全に下ろすまたは降下する装置を便利に使用することができる。
【００１６】
記述された好適実施例の特徴によれば取り付けフレームはドラムを含むためのハウジングを含む。
【００１７】
記述された好適実施例の特徴によればラインの第二端はラインを高所の固定物に取り付けるための取り付け装置を含み、この取り付け装置は開閉可能なクラスプである。
【００１８】
記述された好適実施例の特徴によれば固定装置は使用者の身体を保持するための身体取り付け部材を含み、この身体取り付け部材はハーネスまたはジャケットである。
【００１９】
記述された好適実施例の特徴によれば身体固定装置は使用者の身体を受けるための身体受け部材を含む。
【００２０】
記述された好適実施例の特徴によればこの装置は使用者の降下速度を制御するための降下制御装置を含む。
【００２１】
記述された好適実施例の特徴によれば降下制御装置は降下を停止するために調整可能である。
【００２２】
記述された好適実施例の特徴によればこの装置は降下制御装置を調整するためのリモートコントロール装置を更に含む。
【００２３】
記述された好適実施例の特徴によれば降下制御装置はドラムの回転速度を減速するためのドラムと組み合わされて配置されたオイルダンパーを含む。
【００２４】
記述された好適実施例の特徴によれば降下制御装置は降下速度を変えるために調整可能である。
【００２５】
記述された好適実施例の特徴によればこの装置は降下制御装置及び降下表示器に電力を供給するための電源を含む。
【００２６】
記述された好適実施例の特徴によれば降下表示器は光信号または可聴信号である。
【００２７】
記述された好適実施例の特徴によれば電源はドラムの回転により駆動される発電器または電池である。
【００２８】
記述された好適実施例の特徴によれば高所の固定物は建物または構造体である。
【００２９】
この発明の更なる特徴及び利点は以下の記載から明らかとなるであろう。
【００３０】
図面の簡略説明
この発明が添付図面に関して例としてのみここに説明される。図面において：
図１は本発明により構成された個人降下装置の好適実施例の概略内面図であり；
図２は図１の装置の代替実施例の概略内面図であり；
図３ａは図１の装置の身体固定装置の好適実施例のさし絵であり；
図３ｂは図１の装置の身体固定装置の代替実施例のさし絵であり；
図３ｃは図１の装置の身体固定装置の代替実施例のさし絵であり；
図４は図１の装置のオイルダンパーの概略内面図であり；
図５は代替実施例による図１の装置のオイルダンパーの概略内面図であり；
図６は図１の装置のリモートコントロール装置のさし絵であり；そして
図７は使用中の図１の装置の図である。
【発明を実施するための最良の形態】
【００３１】
本発明の少なくとも一実施例を詳細に説明する前に本発明は以下の説明に記載されたまたは図面に示された構造の詳細及び要素の配置に対してこの適用に限定されないことは理解されるべきである。本発明は他の実施例に適用可能でありまたは種々の方法で実行されまたは実施されるものである。またここに採用された用語及び術語は説明の目的のためであり、限定として考えられるべきではないことは理解されるべきである。
【００３２】
本発明による個人降下装置の原理及び操作は図面及び添付説明を参照するとよりよく理解されよう。
【００３３】
図１は本発明により構成された使用者により容易に携帯可能であるように十分小さい軽量装置の形の個人降下装置１０を示す。装置１０は高所から対象物を安全に下ろすように設計されている。装置１０の好適実施例は使用者（男性または女性）が自分自身を下ろすことを可能とするようにかつそれにより高所から安全に降下するように設計されている。以下の説明はこの好適実施例を反映する。
【００３４】
装置１０は取り付けフレーム１４に回転可能に取り付けられたドラム１２を含み、好適実施例によればこの取り付けフレームはそれぞれ１４ａと１４ｂで示された二板の平行円板からなる。取り付けフレーム１４の本質的機能はドラム１２を回転可能に取り付けることと使用者の身体にしっかりと装置１０を取り付けることとの両方を含む。
【００３５】
取り付けフレーム１４は板１４ａと１４ｂ間に配置された支持軸１６によりドラム１２を回転可能に取り付ける。軸１６の両端は軸１６がそれに関して回転できるような態様でそれぞれ板１４ａと１４ｂにより支持される。軸１６の各端はベアリング１８により支持され、それが板１４ａと１４ｂに関してそれを回転可能とする。ベアリング１８は本発明の必須の要素ではなく、軸１６を回転可能とするブッシュまたはあらゆる他の保持装置により置き換えられることができる。ドラム１２はドラム１２と軸１６の両者が取り付けフレーム１４に関して一緒に回転するように軸１６上に共軸的に固定される。
【００３６】
取り付けフレーム１４は身体を希望の向きに保持するために必要なだけの多くの身体取り付けクラスプ４２により使用者の身体に取り付けられる。クラスプ４２は取り付けフレーム１４にしっかりと取り付けられ、リング、クラスプまたはリンクと迅速に係合するために今日リクレーション及び産業で既知の多くの容易に開きかつしっかりと閉じるクラスプのいずれの型式のものであることもできる。クラスプ４２は使用者の身体の上の一組の対応する取り付け部材と係合するであろう。かくして取り付けフレーム１４は使用者にしっかりと取り付けられる。
【００３７】
取り付けフレーム１４はドラム１２を回転可能に支持し、かつ使用者の身体に固定されることの両者を可能とする形または形状であるならば代替実施例において他の形または形状を取ることができる。
【００３８】
装置１０はまたドラム１２周りに巻かれたライン２０を含み、それはその両端の一つをドラム１２に取り付けられており、第二端２２は使用者がそこから降下するのを望む固定物に取り付けるために自由に延びている。この目的のため、第二端２２は取り付け装置を含み、それは好適実施例によればクラスプ２４である。クラスプ２４は開閉する部分を持ち、ケーブルを対象物に取り付けるために登山者及び熟練工により慣例的に使用されるクラスプに形及び機能において似ている。取り付け装置はまた第二端２２が取り付けられる物の性質に依存してフック、ノブ、ループまたは他の適当な取り付け要素であることができる。
【００３９】
好適実施例によれば、ライン２０は好ましくは３−５ｍｍの直径のステンレススチールケーブルである。かかるケーブルは火災の場合の避難装置のような装置１０の好適実施例のために必要な属性を保有する。かかるケーブルは十分な引張強さと火炎及び温度に対する抵抗性の両者を提供する。ライン２０はナイロン、ポリプロピレン、炭素繊維等のような他の材料から形成されることができかつ代替適用のために異なる直径のものであることができることは理解される。全てのかかる実施例は企図される。
【００４０】
ライン２０は必要なときに使用するために十分な長さがドラム１２上に簡潔に保管されることができるようにドラム１２周りに巻かれる。ライン２０を規則的な様式で保つために、ドラム１２はライン２０の巻き付けを案内する物理的障壁としての役目をするために軸１６から軸方向に放射する円形フランジとして形成されたドラム端１３を含み、かくしてライン２０をドラム端１３と板１４ａに近いドラム１２の他端との間に閉じ込めて保持する。ドラム端１３は特別の適用のために必要なライン２０の長さのために適当であるように板１４ａからある距離に配置されることができる。
【００４１】
好適実施例によれば、取り付けフレーム１４は好ましくはドラム１２を含むハウジング２６を含む。ハウジング２６は板１４ａと１４ｂの外周表面に取り付けられ、それらのそれぞれの周囲周りに外被を形成し、かくして縦方向に配置したドラム１２を持つ円筒形状を形成する。ハウジング２６は装置１０の追加の要素を覆うために板１４ｂを越えて延び、従ってこの端部を閉じるためにその末端に第三円形板１４ｃを含む。かかる形状において、板１４ａと１４ｃのそれぞれは取り付けフレーム１４を使用者の身体に固定する目的のため身体取り付けクラスプ４２をそこに固定している。
【００４２】
図１は装置１０の内部の観察を可能とするためにハウジング２６の略半分が除去された装置１０を示す。ハウジング２６は他の形または形状を取ることができること及びそれは装置１０の機能のためには必須ではなくむしろ保護機能を提供することが認められる。ハウジング２６はそこに開口を形成されており（図示せず）、装置１０が使用されるときライン２０のそこを通しての通過を可能とする。
【００４３】
装置１０はまた降下速度を制御するための降下制御装置を含み、それは好適実施例によれば、オイルダンパー６０である。オイルダンパー６０は板１４ｂ上に取り付けられ、以下により十分に説明されるように、ドラム１２の回転を減速するように及び一定速度に保つようにドラム１２と組み合わせて配置されており、かくしてライン２０の繰り出しを一定速度に制限する。
【００４４】
代替実施例によれば、オイルダンパー６０は降下速度を変えるようにまたは降下を停止するように調整可能であり、かくしてライン２０の繰り出し速度を変えることができる。
【００４５】
図２は装置１０の代替実施例を示し、それは好適実施例のような形状をしておりかつ機能するが、以下に説明される降下制御装置及び光信号または可聴信号または両者の形であることができる降下表示器３０に電力を付与するための電源２８を追加的に含む。
【００４６】
代替実施例によれば、電源２８は好ましくはその電流チャージを表示するためのチャージ表示器を含む電池であることができる。電源２８はこれに代えてオイルダンパー６０から軸１６の方向の反対方向に延びる回転可能軸１７により駆動される発電器であることができる。軸１７は軸１６の回転により駆動され、発電器は軸１７の回転により賦活される。軸１７が回転するとき、発電器が好ましくは５Ｖの小さな電流を発生し、これは降下表示器３０に伝導され、従って使用者が降下していることの信号として活性化される。かかる小さな発電器は従来技術で周知であり、従ってここに記述または説明を提供する必要はない。電源２８は装置１０の機能のために必須ではなく、省略されることができることは理解されよう。更に装置１０は更なる代替実施例において降下を示すあらゆる他の形の信号、または可聴または可視のいずれかである降下速度、地面への接近、経過時間または他の変数を示す可変信号を備えることができることは理解されよう。
【００４７】
装置１０は取り付けフレーム１４を使用者の身体に固定するための固定装置４０を含む。それぞれ３ａ，３ｂ及び３ｃの番号を付けられた三つのさし絵を含む図３は固定装置４０の三つの異なる実施例を示す。図３ａはハーネス４６の形の身体取り付け部材を示し、それは使用者を迅速に囲むのに使用されることができ、クラスプ４７により迅速に開閉可能である。示されたハーネス型４６はある形状のストラップを持つ。ハーネス４６は吊り下げられた位置で適当な時間の間人の身体を保持するために適した既知のあらゆる設計のものであることができることは理解されよう。ハーネス４６は取り付けフレーム１４の身体取り付けクラスプ４２の間隔に一致する距離で離れて間隔を置かれた二つの取り付けリング４８を上部背面領域に含む。装置１０はかくして使用者の身体に使用者着用ハーネス４６及び取り付けリング４８を持つ係合取り付けクラスプ４２により取り付けられる。
【００４８】
図３ｂはジャケット４９の形の身体取り付け部材を示し、それは使用者により着用されることができる。ジャケット４９はそれが袖と前面の垂直方向下向きの一連のファスナーを持つ点で通常のジャケットと似ている。ジャケット４９はそれが好ましくは極めて強い材料から作られ、ボタンの代りにしっかりと閉鎖可能なファスナーを持ち、そして更に吊り下げられた位置で着用者がそこに保持されるように着用者の脚を囲んで脚間の閉鎖と支持を提供する点で通常のジャケットとは異なる。ジャケット４９の設計及び形状はそれが使用者をしっかりとかつ不快なく保持するならば変えることができる。ジャケット４９はまた取り付けフレーム１４の身体取り付けクラスプ４２の間隔に一致する距離で離れて間隔を置かれた二つの取り付けリング５１を上部背面領域に含む。装置１０はかくして使用者によるジャケット４９の着用と閉鎖及び取り付けクラスプ４２の取り付けリング５１との係合により使用者の身体に取り付けられる。
【００４９】
図３ｃはバスケット５２の形の身体受け部材を示し、その中に意識不明の、半ば意識を失ったまたは恐怖のため腰を抜かした使用者が置かれて下ろされることができる。バスケット５２は、それが安定しており使用者の身体をしっかりと保持するならどのような形式のものであってもよい。バスケット５２は好ましくは十分に高い壁を持ち、従って降下時に物に衝突することに起因する急なまたはぎくしゃくした動きも身体を放出または排出しないであろう。バスケット５２は取り付けフレーム１４の身体取り付けクラスプ４２の間隔に一致する距離で離れて間隔を置かれた二つの取り付けリング５４を含む連結ハーネス５３を持つであろう。装置１０はかくして使用者による取り付けクラスプ４２の取り付けリング５４との係合及びバスケット５２に入ることにより用いられる。
【００５０】
装置１０が人間以外の対象物を高所から下ろすために用いられる代替実施例によれば、固定装置４０が問題の対象物に取り付けるのに適当などのような配置または形状のどのような形式または種類のストラップ、フックまたはファスナーからなることもできることは認められよう。
【００５１】
図４はオイルダンパー６０の内部構造を示す。好適実施例によれば、オイルダンパー６０は抵抗に対して油を動かすポンプ作用を採用した形式のものである。好適実施例によれば、オイルダンパー６０は一定量の油と好ましくは図示していない油面表示器を含む油貯め６２、油を油貯め６２から流動チャネル６８の入口７０中に引き出しそれをチャネル６８を通してそれが出口７２から流出して油貯め６２中に戻るまで動かすためのポンプ機構６６を操作する回転可能な軸６３を含む。軸６３は軸１６と回転可能に組み合わされており、従って軸１６の回転はオイルダンパー６０のポンプ作用をもたらす軸６３の回転を起こす。好適実施例によれば、軸６３は軸１６への取り付けのための円錐形連結素子６４を含む。軸１６は軸１６と軸６３が互いにしっかりと固定されかつ一緒に回転するように連結素子６４と係合する相補的凹所（図示せず）を形成されている。従って、軸１６及びドラム１２の回軸はオイルダンパー６０により与えられる抵抗により減速される。
【００５２】
オイルダンパー６０はまたチャネル６８を狭くし従ってそれを通る油の流れに対して一層大きな抵抗を提供するように作用するスクリュー７４の形の流量調整手段を含み、軸１６の回転のより大きな減速を起こす。流量調整スクリュー７４は装置１０に特定の降下速度を持たせるために好ましくは製造業者または技術者により設定される。代替実施例は使用者が特定の事情が必要とするときより速いまたはより遅い降下を提供することができるように使用者が操作可能なスクリュー７４を持つことができることが好ましい。スクリュー７４を時計方向に回転することはチャネル６８を塞ぐ役目をし、従ってそれを通しての油の流れをより大きな範囲で妨げポンプ作用により強い抵抗を起こし、更にドラム１２の回転を減速する。スクリュー７４を反時計方向に回転することは反対の効果を持つ。軸１６の回転速度は従って好ましくは１ｍ／ｓから４ｍ／ｓ、より好ましくは１ｍ／ｓから８ｍ／ｓの範囲の降下速度を提供するように変えることができる。従って、スクリュー７４がその最大制限状態にあるとき、チャネル６８を通る流れは略１ｍ／ｓの降下速度に等しい回転速度を可能とする。
【００５３】
図５を参照されたい。代替実施例によれば、オイルダンパー６０はチャネル６８を通しての油の動きを制御するためにチャネル６８に配置された調整可能弁７６を採用する形式のものである。弁７６は好ましくは電気モーターにより、電磁的にまたはいずれかの他の電気的に活性化される手段（図示せず）により制御される。代替実施例によれば、電力はこの目的のために図２に示された電源２８により供給されるであろう。弁７６はスクリュー７４と同じ目的に役立ち、ドラム１２の回転速度を制御するためまたは使用時のドラム１２の回転を停止するためにスクリュー７４に加えて使用されることができる。従って、スクリュー７４が降下前に設定されていても、弁７６は降下時に調整可能である。
【００５４】
更なる代替実施例によれば、装置１０はリモートコントロール弁７６のための装置を含む。図６を参照すると、それは遠隔的に、好ましくは降下の現場の下の観察者によりまたは降下中の使用者により弁７６を活性化して調整するのに適した例示的なリモートコントロール装置８０を示す。従って、リモートコントロール装置８０は好ましくは無線周波数によりまたは他の適当な手段により伝達され命令信号を装置１０に運ぶ能力を持つであろう。リモートコントロール装置８０は弁７６の活性化を可能とし、その最大油流量からチャネル６８の全閉塞までの範囲の調整を可能とし、従って、降下を停止することを含む可変降下速度を提供する適当なユーザーインターフェースを持つであろう。示されているのはオンオフスイッチ８２と降下速度制御器８４を持つ例示的ユーザーインターフェースである。リモートコントロール装置８０はまた図示されていない電池チャージ表示器及び油面表示器を含むことができることが好ましい。
【００５５】
かかるリモートコントロール装置は周知であり、多くの種々の装置のリモートコントロールのために一般的に採用されている。更なる例示または説明は必要ない。
【００５６】
オイルダンパー６０は回転運動に減速力を働かせるために使用される市場の多くのオイルダンパーの一つの例である。高粘度／高圧環境内で動くじゃま板または翼に対して抵抗を提供するまたは限定チャネルを通して油をポンプ輸送することにより抵抗を提供する多くのかかるダンパーが知られている。設計、構造のみならずオイルダンパー６０により使用される方法もまた本発明の要素ではなく、軸１６及びドラム１２の回転を適当な定常速度に減速するならば如何なる形のオイルダンパーも装置１０内に配備されることができる。
【００５７】
更に、装置１０は代替実施例において、ドラム端１３上のキャリパーブレーキ、軸１６上の圧縮ブレーキ、ライン２０の通路の摩擦装置またはあらゆる他の運動減速装置のような他の形式の降下制御装置を採用し、またはドラム１２の回転速度を減速し、ライン２０の繰り出しを一定の適当な速度に限定する目的のための従来技術で公知の方法を採用することができる。
【００５８】
図７は窓９０からぶら下がる装置１０の使用者を示す。取り付けフレーム１４は固定された使用者を持つハーネス４６に取り付けられている。ライン２０はハウジング２６からそこに形成された開口２７を介して繰り出されており、その目的のために窓９０内の見えない固定点に取り付けられた第二端２２を持つ。示された好適実施例で見ることができるように、制御または操作部品、要素または機構が全くない。従って装置１０は誰でも扱えるものであり；安全に降下するために使用者がなさねばならないものは何もない。この理由のため、装置１０は意識不明の人または負傷、不安またはあらゆる他の原因のために機能してない使用者の避難のために使用されるのに理想的に適している。
【００５９】
使用者はライン２０に付与される体重の結果として単独で降下する。ライン２０上の張力がドラム１２上に回転力を働かせ、これがドラム１２及び軸１６を回転させ、この回転はオイルダンパー６０により一定速度に減速されかつ保持される。回転速度はライン２０に付与される重量にかかわりなく一定であることは注目されるべきである。装置１０は２０ｋｇ〜２００ｋｇの間の如何なる重量でも、どのように重量がライン２０に付与されるかにかかわらず、同じ降下速度をもたらすであろう。従って、装置１０の代替使用は取り付けフレーム１４を高所の固定点に取り付けることによりかつライン２０をライン２０の端部の取り付けクラスプ２４により使用者に取り付けることにより逆向きにすることである。装置１０はもし向きが逆にされたとしてもまったく同じ態様で機能するであろう。
【００６０】
好適実施例によれば、個人降下装置は燃えているビルディングから逃げるための一回使用の緊急避難装置として設計されている。この理由のため、それはその要素の全てを火炎及び高温度の影響に対して耐える金属から構成される。山またはロッククライミングのような他の適用のために、または背の高いビルディングの窓洗浄者、橋塗装者、高いポールを登る架線工夫、高い樹を昇る材木切り出し人、また現在未知の他の使用のための安全装置として代替実施例を予知することは妥当である。かかる代替適用は種々の長さのまたは異なる材料のライン；ハウジングの側面を通して回転軸を延び出させかつ続いての使用のためにラインを巻き戻すために逆方向にドラムを手で回転するためのハンドルを受ける形状をした軽量材料の構成；赤ん坊または子供を避難させるための低重量により実現されるライン繰り出しを持つより小さい取り付けフレーム；装置及び使用者の両者のための種々の取り付け手段；及び当業者に明らかなまたは明白な他の改変のような設計及び／または形状における多くの改変を指摘することができる。本発明は全てのかかる実施例を企図する。
【００６１】
本発明は現在既知の装置を越えかつ燃えているビルディングからの避難のための使用における多数の利点を提供し、それは次のことを含む：
１．装置は小さくて携帯可能である。各人は、万一必要が発生したとしても避難の手段があるという気になりかつ確信することができる。
２．利用できる降下装置を待つ必要がない。
３．個人降下装置の使用者は他人に依存しない。必要なことの全ては使用者がラインの自由端をビルディング内の固定点に取り付けかつハウジングを自分の身体に取り付け、次いで窓を出ることである。
４．装置は小さくて保管できる。全ての住居者に供給されるためにビルディングの各部屋内に十分な数が保管されることができる。
５．装置は頑丈で、丈夫で、かつ信頼性がある。ほんの数個の比較的簡単な可動部品があるだけであり、失敗するかもしれない繊細なまたは神経質な技術に依存するものは何もない。
６．装置は製造及び取得が簡単でかつ経済的である。ビルディングの各居住者は一つを所有すればよく、雇用者は各作業者に一つを供給することができる。
【００６２】
本発明は以上に特に示されかつ説明されたものに限定されないことは当業者により認められるであろう。むしろ、本発明の範囲は添付特許請求の範囲により規定され、以上に説明された種々の特徴の組み合わせ及び部分組み合わせの両者並びに当業者が先の説明を読むと浮かんでくるであろうそれらの改変及び変更を含む。従って、添付特許請求の範囲の精神と広い範囲内に入る全てのかかる代替物、変更及び改変を包含することを意図している。
【図面の簡単な説明】
【００６３】
【図１】本発明により構成された個人降下装置の好適実施例の概略内面図である。
【図２】図１の装置の代替実施例の概略内面図である。
【図３】図３ａは図１の装置の身体固定装置の好適実施例のさし絵であり、図３ｂ，図３ｃは図１の装置の身体固定装置の代替実施例のさし絵である。
【図４】図１の装置のオイルダンパーの概略内面図である。
【図５】代替実施例による図１の装置のオイルダンパーの概略内面図である。
【図６】図１の装置のリモートコントロール装置のさし絵である。
【図７】使用中の図１の装置の図である。
【図１】
2005518846.tif 000003
【図２】
2005518846.tif 000004
【図３】
2005518846.tif 000005
【図４】
2005518846.tif 000006
【図５】
2005518846.tif 000007
【図６】
2005518846.tif 000008
【図７】
2005518846.tif 000009
【国際調査報告】
2005518846.tif 000010